(57)【特許請求の範囲】
【請求項１】
自然エネルギーを用いる発電装置から機器に電力を供給する電力供給システムに含まれる、上記機器の動作制御を行う機器制御装置であって、
上記発電装置の発電状況を示す発電状況情報を取得する発電情報取得手段と、
発電状況に応じた制御を特定するための制御特定情報を参照して、上記発電情報取得手段が取得した発電状況情報に応じた、上記機器に対する制御を特定する制御特定手段と、
上記制御特定手段が特定した制御を実行する機器制御手段とを備え、
上記制御特定情報は、上記機器の周囲の環境と上記発電装置の発電状況との組み合わせに応じて予め定められた制御を特定するためのものであり、
上記制御特定手段は、上記機器の周囲の環境に関する環境情報を参照して、上記制御特定情報から制御を特定する
ことを特徴とする機器制御装置。
【請求項２】
上記機器の動作状況を示す動作状況情報を参照して、上記制御特定手段が特定した制御を実行するか否かを判断する判断手段を備え、
上記機器制御手段は、上記判断手段が実行すると判断した制御を実行することを特徴とする請求項１に記載の機器制御装置。
【請求項３】
上記機器には、ユーザがその場に不在のときには動作させない機器が含まれており、
上記判断手段は、上記動作状況情報が、ユーザがその場に不在のときには動作させない上記機器が動作していないことを示している場合に、上記制御特定手段が特定した制御を実行しないと判断することを特徴とする請求項２に記載の機器制御装置。
【請求項４】
上記機器の周囲の環境に関する環境情報を参照して、上記制御特定手段が特定した制御を実行するか否かを判断する判断手段を備え、
上記機器制御手段は、上記判断手段が実行すると判断した制御を実行することを特徴とする請求項１に記載の機器制御装置。
【請求項５】
上記制御特定情報は、上記機器の周囲の環境と上記発電装置の発電状況との組み合わせに応じて、複数種類の機器のうち制御の対象とする機器と、該機器に対する制御とを特定するためのものであり、
上記制御特定手段は、上記機器の周囲の環境に関する環境情報を参照して、上記制御特定情報から、制御の対象とする機器と、該機器に対する制御とを特定することを特徴とする請求項１から４の何れか１項に記載の機器制御装置。
【請求項６】
自然エネルギーを用いる発電装置から機器に電力を供給する電力供給システムに含まれる、上記機器の動作制御を行う機器制御装置による制御方法であって、
上記発電装置の発電状況を示す発電状況情報を取得する発電情報取得ステップと、
発電状況に応じた制御を特定するための制御特定情報を参照して、上記発電情報取得ステップで取得した発電状況情報に応じた、上記機器に対する制御を特定する制御特定ステップと、
上記制御特定ステップで特定した制御を実行する機器制御ステップとを含み、
上記制御特定情報は、上記機器の周囲の環境と上記発電装置の発電状況との組み合わせに応じて予め定められた制御を特定するためのものであり、
上記制御特定ステップでは、上記機器の周囲の環境に関する環境情報を参照して、上記制御特定情報から制御を特定することを特徴とする制御方法。
【請求項７】
自然エネルギーを用いる発電装置から機器に電力を供給する電力供給システムに含まれる、上記機器の動作制御を行う機器制御装置を動作させるための制御プログラムであって、
上記発電装置の発電状況を示す発電状況情報を取得する発電情報取得ステップと、
発電状況に応じた制御を特定するための制御特定情報を参照して、上記発電情報取得ステップで取得した発電状況情報に応じた、上記機器に対する制御を特定する制御特定ステップと、
上記制御特定ステップで特定した制御を実行する機器制御ステップとをコンピュータに実行させ、
上記制御特定情報は、上記機器の周囲の環境と上記発電装置の発電状況との組み合わせに応じて予め定められた制御を特定するためのものであり、
上記制御特定ステップでは、上記機器の周囲の環境に関する環境情報を参照して、上記制御特定情報から制御を特定することを特徴とする制御プログラム。
【発明の詳細な説明】
【技術分野】
【０００１】
本発明は、地域分散型の発電装置から電力の供給を受けて動作する負荷機器を制御する機器制御装置等に関する。
【背景技術】
【０００２】
近年、各家庭で使用する電力を各家庭に設けた発電装置で供給する地域分散型の電力供給システムが急速に普及している。また、家庭の消費電力を抑えるいわゆる省エネ活動も浸透しつつある。特に、太陽光発電システムなどは、余剰電力を電力会社に売電できることもあり、太陽光発電システムを導入した家庭や、導入しようとする家庭では、発電量と消費電力量に対する意識が高まっている。
【０００３】
このような背景から、地域分散型の電力供給システムを効率化する技術も進展しつつある。例えば、下記の特許文献１には、発電装置の発電出力または負荷電力の予測値を用いて、特定地域内に設置されたエンジン発電機や太陽光発電装置等の複数の発電装置による電力需給制御を効率化することが記載されている。
【先行技術文献】
【特許文献】
【０００４】
【特許文献１】特開２００８−２７１７２３号公報（２００８年１１月６日公開）
【発明の概要】
【発明が解決しようとする課題】
【０００５】
しかしながら、上述のような従来技術は、各発電装置の発電量を制御するものであって、発電装置から電力の供給を受けて動作する負荷機器の動作制御については何ら考慮されていない。つまり、発電装置と負荷機器とを含めたシステム全体の制御を最適化することはできないという問題がある。
【０００６】
ここで、負荷機器を含めた最適化制御を行う場合、例えば各負荷機器にセンサを別途設け、このセンサで取得したデータを基に、負荷機器を制御することが考えられる。しかし、負荷機器毎にセンサを設けることはコスト的に難がある。
【０００７】
本発明は、上記の問題点に鑑みてなされたものであり、その目的は、センサ等を別途設けることなく、負荷機器に対して、該負荷機器の置かれた環境に応じた適切な制御を行うことのできる機器制御装置等を提供することにある。
【課題を解決するための手段】
【０００８】
上記の課題を解決するために、本発明の機器制御装置は、自然エネルギーを用いる発電装置から機器に電力を供給する電力供給システムに含まれる、上記機器の動作制御を行う機器制御装置であって、上記発電装置の発電状況を示す発電状況情報を取得する発電情報取得手段と、発電状況に応じた制御を特定するための制御特定情報を参照して、上記発電情報取得手段が取得した発電状況情報に応じた、上記機器に対する制御を特定する制御特定手段と、上記制御特定手段が特定した制御を実行する機器制御手段とを備えていることを特徴としている。
【０００９】
また、本発明の制御方法は、上記の課題を解決するために、自然エネルギーを用いる発電装置から機器に電力を供給する電力供給システムに含まれる、上記機器の動作制御を行う機器制御装置による制御方法であって、上記発電装置の発電状況を示す発電状況情報を取得する発電情報取得ステップと、発電状況に応じた制御を特定するための制御特定情報を参照して、上記発電情報取得ステップで取得した発電状況情報に応じた、上記機器に対する制御を特定する制御特定ステップと、上記制御特定ステップで特定した制御を実行する機器制御ステップとを含むことを特徴としている。
【００１０】
上記の構成によれば、制御特定情報を参照して特定した、発電装置の発電状況に応じた制御を機器に対して行う。ここで、自然エネルギーを利用して発電を行う場合、その時々の自然環境によって発電状況は変化する。なお、自然エネルギーを利用して発電を行う発電装置としては、例えば太陽光発電装置や風力発電装置等が挙げられる。
【００１１】
つまり、上記発電装置の発電状況には、そのときの環境が反映されており、発電状況に応じた制御は、そのときの環境に応じた制御ということになる。したがって、上記の構成によれば、機器が置かれている環境を検出するためのセンサ等を別途設けることなく、機器に対して環境に応じた適切な動作制御を行うことが可能になる。なお、本発明は、発電装置の置かれている環境と、制御対象となる機器の置かれている環境が同一であるか、またはほぼ同一とみなせることを前提としている。つまり、上記発電装置と上記機器とは、少なくとも上記の前提が成り立つ程度に近接している。
【００１２】
また、上記機器制御装置は、上記機器の動作状況を示す動作状況情報を参照して、上記制御特定手段が特定した制御を実行するか否かを判断する判断手段を備え、上記機器制御手段は、上記判断手段が実行すると判断した制御を実行することが好ましい。
【００１３】
上記の構成によれば、機器の動作状況から制御を実行するか否かを判断するので、機器の動作状況から実行することが好ましくないと判断されるような制御が行われることを防ぐことができる。
【００１４】
また、上記機器には、ユーザがその場に不在のときには動作させない機器が含まれており、上記判断手段は、上記動作状況情報が、ユーザがその場に不在のときには動作させない上記機器が動作していないことを示している場合に、上記制御特定手段が特定した制御を実行しないと判断することが好ましい。
【００１５】
上記の構成によれば、ユーザがその場に不在のときには動作させない機器が動作していないときには制御を実行しない。ユーザがその場に不在のときには動作させない機器が動作していないときは、ユーザが不在である可能性が高いと言えるので、上記の構成によれば、ユーザが不在である可能性が高い場合に無駄に制御が行われることを防ぐことができる。なお、ユーザがその場に不在のときには動作させない機器としては、例えば室内の照明装置、空調装置、テレビ等が挙げられる。
【００１６】
また、上記機器制御装置は、上記機器の周囲の環境に関する環境情報を参照して、上記制御特定手段が特定した制御を実行するか否かを判断する判断手段を備え、上記機器制御手段は、上記判断手段が実行すると判断した制御を実行することが好ましい。
【００１７】
上記の構成によれば、機器の周囲の環境に応じて制御の実行可否を判断する。したがって、上記の構成によれば、機器の周囲の環境から、機器の制御を行うことが好ましくないと判断されるような場合に、制御が行われることを防ぐことができる。
【００１８】
なお、上記環境情報は、例えば天気、気温、上記機器が設置された部屋の室温、明るさ等を示すものであってもよい。また、時刻や日付によって、温度や明るさ等の環境が変わるので、時刻や日付等を上記環境情報として適用してもよい。ただし、センサ等を設けてこれらの環境情報を取得することはコスト的に好ましくないので、上記環境情報はセンサ等を設けることなく取得できるものとすることが望ましい。
【００１９】
また、上記制御特定情報は、上記機器の周囲の環境と、上記発電装置の発電状況とに応じた制御を特定するためのものであり、上記制御特定手段は、上記機器の周囲の環境に関する環境情報を参照して、上記制御特定情報から制御を特定することが好ましい。
【００２０】
上記の構成によれば、機器の周囲の環境に関する環境情報を参照して、機器の周囲の環境と、発電装置の発電状況とに応じた制御を特定するための制御特定情報から制御を特定する。したがって、機器の周囲の環境に応じたより適切な制御を特定し、これを実行することができる。
【００２１】
また、上記機器には、照明装置とカーテンを開ける装置とが含まれており、上記発電装置が太陽光発電装置であり、上記発電状況情報が上記発電装置の発電量を示すものである場合には、上記制御特定情報では、上記太陽光発電装置の予め定めた閾値以上の発電量に対して、上記カーテンを開ける装置によってカーテンを開ける制御と、上記照明装置の出力を下げるかまたは消灯する制御とが対応付けられていることが好ましい。
【００２２】
上記の構成によれば、制御特定情報において、閾値以上の発電量に対して、カーテンを開ける装置によってカーテンを開ける制御と、照明装置の出力を下げるかまたは消灯する制御とを対応付けられている。このため、閾値以上の発電量が取得されたときには、カーテンを開ける制御と、照明装置の出力を下げるかまたは消灯する制御とが行われる。
【００２３】
ここで、上記構成のように、発電装置が太陽光発電装置である場合に、発電量が多いときには、屋外が明るいと考えられる。すなわち、上記の構成によれば、照明装置に対する制御で減少した明るさを、カーテンを開けて外光を取り込むことによって補うので、室内の明るさを維持することができる。そして、照明装置の出力を下げるかまたは消灯するので、電力供給システム全体における消費電力を低減することができる。
【００２４】
また、上記機器には、窓を開ける装置と冷房装置とを含み、上記発電装置が、風力発電装置であり、上記発電状況情報が上記発電装置の発電量を示すものである場合には、上記制御特定情報では、上記風力発電装置の予め定めた閾値以上の発電量に対して、上記窓を開ける装置によって窓を開ける制御と、上記冷房装置を動作停止させる制御とが対応付けられていることが好ましい。
【００２５】
上記の構成によれば、制御特定情報において、閾値以上の発電量に対して、窓を開ける装置によって窓を開ける制御と、冷房装置を動作停止させる制御とが対応付けられている。このため、閾値以上の発電量が取得されたときには、窓を開ける制御と、冷房装置を動作停止させる制御とが行われる。
【００２６】
ここで、上記構成のように、発電装置が風力発電装置である場合に、発電量が多いときには、ある程度の風速で継続的に風が吹いていると考えられる。すなわち、上記の構成によれば、冷房装置に対する制御後の室温の上昇を、窓を開けて風を取り込むことによって抑えるので、快適性が損なわれることがない。そして、冷房装置を動作停止することによって電力供給システム全体における消費電力を低減することができる。
【００２７】
なお、上記機器制御装置は、コンピュータによって実現してもよい。すなわち、コンピュータに上記制御方法の各ステップを実行させることにより、上記機器制御装置をコンピュータにて実現させる制御プログラム、及びそれを記録したコンピュータ読み取り可能な記録媒体も本発明の範疇に入る。
【発明の効果】
【００２８】
以上のように、本発明の機器制御装置は、発電装置の発電状況を示す発電状況情報を取得する発電情報取得手段と、発電状況に応じた制御を特定するための制御特定情報を参照して、上記発電情報取得手段が取得した発電状況情報に応じた、機器に対する制御を特定する制御特定手段と、上記制御特定手段が特定した制御を実行する機器制御手段とを備えている構成である。
【００２９】
また、本発明の制御方法は、発電装置の発電状況を示す発電状況情報を取得する発電情報取得ステップと、発電状況に応じた制御を特定するための制御特定情報を参照して、上記発電情報取得ステップで取得した発電状況情報に応じた、機器に対する制御を特定する制御特定ステップと、上記制御特定ステップで特定した制御を実行する機器制御ステップとを含む構成である。
【００３０】
そして、本発明の制御プログラムは、発電装置の発電状況を示す発電状況情報を取得する発電情報取得ステップと、発電状況に応じた制御を特定するための制御特定情報を参照して、上記発電情報取得ステップで取得した発電状況情報に応じた、機器に対する制御を特定する制御特定ステップと、上記制御特定ステップで特定した制御を実行する機器制御ステップとをコンピュータに実行させる構成である。
【００３１】
上記の構成によれば、機器の置かれている環境が反映される発電情報に応じた制御を機器に対して行うので、機器が置かれている環境の状況を検出するためのセンサ等を別途設けることなく、機器に対して環境に応じた適切な動作制御を行うことができるという効果を奏する。
【図面の簡単な説明】
【００３２】
【図１】本発明の一実施形態にかかる機器制御システムを構成する機器制御装置の要部構成を示すブロック図である。
【図２】上記機器制御システムの概要を示す図である。
【図３】上記機器制御装置が格納する発電量閾値の一例を示す図である。
【図４】上記機器制御装置が格納する制御特定情報の一例を示す図である。
【図５】エネルギー生成機器の種別と、その種別のエネルギー生成機器の発電状況に応じて制御を変更すべき制御対象機器とを対応付けた制御特定情報の一例を示す図である。
【図６】上記機器制御装置が格納する機器管理情報の一例を示す図である。
【図７】上記機器制御装置が実行する処理の一例を示すフローチャートである。
【発明を実施するための形態】
【００３３】
以下、本発明の実施の形態について、図１〜図７に基づいて詳細に説明する。
【００３４】
〔概要〕
まず、本実施形態の機器制御システムの概要を図２に基づいて説明する。図２は、機器制御システム１００の概要を示す図である。機器制御システム１００は、機器制御装置１によって、該システムに含まれる制御対象機器の動作を制御するシステムである。また、機器制御システム１００には、上記制御対象機器に電力を供給するエネルギー生成機器が含まれる。つまり、機器制御システム１００は、エネルギー生成機器から制御対象機器に電力を供給する電力供給システムと言うこともできる。
【００３５】
エネルギー生成機器は、地域分散型の発電装置である。つまり、エネルギー生成機器は、電力会社が運営する発電所のような大規模な発電装置ではなく、一般家庭や企業等の施設で使用される電力の一部または全部をまかなうため、当該施設に近接して設けられた発電装置である。ここでは、エネルギー生成機器として、光エネルギーから電力を得る太陽光発電装置３０と、風エネルギーから電力を得る風力発電装置３１を例示しているが、地熱発電装置など自然エネルギーを利用した発電装置であればこれらの例に限られず、任意のものを適用することができる。
【００３６】
制御対象機器は、エネルギー生成機器から電力の供給を受けて動作する負荷機器である。すなわち、機器制御システム１００は、エネルギー生成機器と、負荷機器とを含むエネルギー供給システムと言うこともできる。図示の例では、制御対象機器として、１軒の家屋内に設置された、空調装置（いわゆるエアコン）４０、照明装置４１、窓を電動で開閉する窓開閉機４２、カーテンを電動で開閉するカーテン開閉機４３、及び扇風機４４を例示している。なお、制御対象機器は、その機器が置かれている環境に応じて動作制御することにメリットのある機器であればこれらの例に限られない。
【００３７】
また、機器制御システム１００は、発電所等からの電力を供給する配電設備５０に接続されており、制御対象機器は、この配電設備５０からの電力供給も受けることができる。さらに、機器制御システム１００には、蓄電装置６０が含まれており、エネルギー生成機器が発生させた余剰電力を蓄電することができるようになっている。
【００３８】
このような構成を備える機器制御システム１００では、機器制御装置１が、エネルギー生成機器による発電量に応じて、制御対象機器の動作制御を行う。これにより、天候等の環境の状態に応じた動作制御が可能となる。自然エネルギーを利用して発電を行うエネルギー生成機器による発電量は、天候等の環境の状態に応じて変動するからである。
【００３９】
つまり、機器制御システム１００は、エネルギー生成機器から出力される発電量というパラメータを利用することにより、センサ等を新たに設置することなく、制御対象機器が置かれている環境に応じた制御を行う点が主な特徴点である。なお、制御対象機器が置かれている環境とは、制御対象機器の周囲の明るさや温度等の状況（自然環境）を指す。
【００４０】
例えば、図示の例では、太陽光発電装置３０の最大発電量が４ｋｗであり、現在４ｋｗの発電（つまり最大発電量による発電）が行われていることが、機器制御装置１によって検知されている。このように、太陽光発電による発電量が多いときには、太陽光発電装置３０が受光する光量が多い、すなわち天気が晴れであると考えられる。
【００４１】
そこで、このようなときには、機器制御装置１は、家庭内配線網を介して、照明装置４１の電源をＯＦＦにすると共に、カーテン開閉機４３によってカーテンを開ける制御を行う。
【００４２】
この制御により、照明装置４１が消灯されるので、制御対象機器全体の消費電力は少なくなる。また、天気は晴れであるから、カーテンが開けられることによって室内の明るさは保たれる。すなわち、この制御によれば、室内の明るさを維持しつつ、消費電力を低減することができる。なお、照明装置４１の明るさを段階的に変化させることができる場合には、明るさを下げる制御を行ってもよい。
【００４３】
また、図示の例では、風力発電装置３１の最大発電量が１ｋｗであり、現在０．５ｋｗの発電（つまり最大発電量の半分の発電）が行われていることが、機器制御装置１によって検知されている。このように、風力発電による発電量がある程度多いときには、風が継続的に吹いていると考えられる。そして、このように風の吹いているときであれば、空調装置４０の冷房機能を使わなくとも、窓を開けて風を入れ、扇風機４４を動かすことで暑さをしのぐことができる。
【００４４】
そこで、このようなときには、機器制御装置１は、家庭内配線網を介して、空調装置４０の電源をＯＦＦにし、扇風機４４の電源をＯＮにすると共に、窓開閉機４２によって窓を開ける制御を行う。この制御によれば、空調装置４０の電源がＯＦＦになり、空調装置４０より消費電力の少ない扇風機４４の電源がＯＮになるので、制御対象機器全体の消費電力を低減することができる。
【００４５】
〔機器制御装置１の構成〕
続いて、機器制御装置１の構成を図１に基づいて説明する。図１は、機器制御装置１の要部構成を示すブロック図である。図示のように、機器制御装置１は、制御部１０と記憶部２０とを備えている。
【００４６】
制御部１０は、機器制御装置１の動作を統括して制御するものであり、発電量取得部（発電情報取得手段）１１、制御特定部（制御特定手段、判断手段）１２、及び機器制御部（機器制御手段）１３を含む。
【００４７】
発電量取得部１１は、エネルギー生成機器の発電状況を示す発電状況情報として、発電量を取得する。ここでは、エネルギー生成機器として、太陽光発電装置３０と風力発電装置３１を用いるため、発電量取得部１１は、太陽光発電装置３０の発電量と、風力発電装置３１の発電量をそれぞれ取得する。具体的には、発電量取得部１１は、各エネルギー生成機器から送信される発電量を示す情報を受信することによって発電量を取得する。
【００４８】
なお、発電量取得部１１は、エネルギー生成機器の発電状況を示す情報を取得するものであればよく、この例に限られない。例えば、発電量の代わりに、または発電量と共に、発電量の変化を示す情報（発電量が増加したことまたは減少したことを示す情報）や、発電量の変化量を示す情報を取得してもよい。
【００４９】
また、発電装置に含まれる発電モジュールの一部について発電量を取得してもよいし、図２の例の風力発電装置３１のように、複数台の発電装置が存在する場合にはそのうちの一部（例えば一機のみ）の発電量を取得してもよい。
【００５０】
制御特定部１２は、発電量取得部１１が取得した発電量に応じた制御を特定し、特定した、制御対象機器に対する制御を機器制御部１３に行わせる。なお、制御特定部１２による制御の特定については後述する。
【００５１】
機器制御部１３は、制御特定部１２が特定した、制御対象機器に対する制御を実行する。また、機器制御部１３は、制御対象機器の動作状況を取得して、記憶部２０に格納されている機器管理情報（動作状況情報）２３を更新することによって、制御対象機器を管理する。
【００５２】
記憶部２０は、機器制御装置１で使用する各種データを格納するものであり、発電量閾値２１、制御特定情報２２、及び機器管理情報２３が格納されている。
【００５３】
発電量閾値２１は、制御特定部１２が、制御を実行するか否かを判断するために用いる閾値であり、エネルギー生成機器のそれぞれの発電量の閾値を含む。つまり、図１の例では、エネルギー生成機器として、太陽光発電装置３０と風力発電装置３１が含まれるので、発電量閾値２１には、これらの装置のそれぞれの発電量の閾値が含まれる。
【００５４】
発電量閾値２１は、例えば図３のような情報であってもよい。図３は、発電量閾値２１の一例を示す図である。図示の発電量閾値２１では、太陽光発電装置３０の閾値が０．４ｋＷであり、風力発電装置３１の閾値が０．３ｋＷである。制御特定部１２は、これらの閾値と、発電量取得部１１が取得した太陽光発電装置３０及び風力発電装置３１の発電量とをそれぞれ比較し、発電量が閾値以上であるか、閾値未満であるかを判断する。
【００５５】
なお、発電量閾値２１は、発電量が多いか少ないかを判断する基準となるものであればよく、図３の例に限られない。例えば、「最大発電量の５０％」のように、最大発電量に対する割合を閾値として用いてもよい。また、閾値は、１つのエネルギー生成機器に対して複数設けてもよい。これによって、発電量が閾値付近で増減している場合に、制御が頻繁に切り替わることを防ぐことや、状況に応じたより細やかな制御を行うことが可能になる。
【００５６】
制御特定情報２２は、制御特定部１２が、発電状況に応じた制御を特定するために用いられる情報である。ここでは、制御特定情報２２が、発電量が閾値以上であるか、閾値未満であるかに応じた制御がエネルギー生成機器毎に対応付けられた情報である例を説明する。
【００５７】
制御特定情報２２は、例えば図４のような情報であってもよい。図４は、制御特定情報２２の一例を示す図である。図示の制御特定情報２２は、エネルギー生成機器と、発電量と、制御とが対応付けられた情報である。
【００５８】
具体的には、太陽光発電装置３０の発電量「閾値以上」に対して、「照明を暗く」する制御、及び「カーテンを開ける」制御が対応付けられている。また、発電量「閾値未満」に対して、「照明を明るく」する制御が対応付けられている。
【００５９】
すなわち、この制御特定情報２２を参照する機器制御部１３は、発電量取得部１１が取得した太陽光発電装置３０の発電量が、発電量閾値２１に記述されている閾値以上である場合には、「照明を暗く」する制御、及び「カーテンを開ける」制御を行うことを特定する。同様に、取得された発電量が閾値未満である場合には、「照明を明るく」する制御を特定する。
【００６０】
また、図示の制御特定情報２２では、風力発電装置３１の発電量「閾値以上」に対して、「空調装置４０を停止」する制御、「窓を開ける」制御、及び「扇風機４４を動作」させる制御が対応付けられている。また、発電量「閾値未満」に対して、「空調装置４０を動作」させる制御、「窓を閉める」制御、及び「扇風機４４を停止」させる制御が対応付けられている。
【００６１】
すなわち、この制御特定情報２２を参照する機器制御部１３は、発電量取得部１１が取得した風力発電装置３１の発電量が、発電量閾値２１に記述されている閾値以上である場合には、「空調装置４０を停止」する制御、「窓を開ける」制御、及び「扇風機４４を動作」させる制御を行うことを特定する。同様に、取得された発電量が閾値未満である場合には、「空調装置４０を動作」させる制御、「窓を閉める」制御、及び「扇風機４４を停止」させる制御を特定する。
【００６２】
なお、制御特定情報２２は、発電状況に応じた制御を特定できるような情報であればよく、例えば発電量が閾値以上の場合に制御の対象となる制御対象機器と、発電量が閾値未満の場合に制御の対象となる制御対象機器とを示すものであってもよい。この場合、制御特定部１２は、この制御特定情報２２から、発電量に応じた制御対象機器を特定し、機器制御部１３に指示して、特定した制御対象機器に対して予め決められた制御を行わせる。
【００６３】
また、実行するべき制御は、日時や季節、外部環境などに応じたものとすることが好ましいため、制御特定情報２２は、日時や季節、外部環境などに応じて変更される情報であってもよい。つまり、日時や季節、外部環境などに応じた複数の制御特定情報２２を用意しておき、この中から現在の日時や季節、外部環境などに応じたものを用いてもよい。また、制御特定情報２２を日時や季節、外部環境などに応じて書き換えてもよい。
【００６４】
また、制御特定情報２２は、エネルギー生成機器の種別と、その種別のエネルギー生成機器の発電量の多寡に応じて制御を変更すべき制御対象機器とを対応付けたものであってもよい。これについて、図５に基づいて説明する。図５は、エネルギー生成機器の種別と、その種別のエネルギー生成機器の発電状況に応じて制御を変更すべき制御対象機器とを対応付けた制御特定情報２２の一例を示す図である。
【００６５】
図示の制御特定情報２２は、エネルギー生成機器の種別として、太陽光発電装置と風力発電装置と含んでいる。そして、太陽光発電装置に対応する制御対象機器として、光に関連する制御対象機器である照明装置４１と、カーテン開閉機４３が対応付けられている。また、風力発電装置に対応する制御対象機器として、風に関連する制御対象機器である空調装置４０、窓開閉機４２、及び扇風機４４が対応付けられている。
【００６６】
図５の制御特定情報２２を用いる場合、制御特定部１２は、太陽光発電装置３０の発電量が閾値を超えている場合に、制御特定情報２２を参照して、照明装置４１とカーテン開閉機４３を制御対象として特定する。そして、機器制御部１３に指示して、これらの制御対象機器に対して予め決められた制御（例えば、照明装置４１をＯＦＦとして、カーテン開閉機４３によってカーテンを開けさせる制御）を行わせる。
【００６７】
同様に、風力発電装置３１の発電量が閾値を超えている場合に、制御特定情報２２を参照して、空調装置４０、窓開閉機４２、及び扇風機４４を制御対象として特定する。そして、機器制御部１３に指示して、これらの制御対象機器に対して予め決められた制御（例えば、空調装置４０をＯＦＦとして、窓開閉機４２によって窓を開けさせ、扇風機４４をＯＮにする制御）を行わせる。
【００６８】
このように、制御対象機器ごとに実行させる制御を予め決めておく場合には、制御特定情報２２は、制御対象機器を特定することができるものであればよい。このような場合の制御特定情報２２は、制御対象機器を特定することによって、制御を特定していると言える。
【００６９】
機器管理情報２３は、制御対象機器の動作状況を管理するための情報であり、各制御対象機器の動作状況を示す情報（動作状況情報）である。機器管理情報２３は、例えば図６のような情報であってもよい。
【００７０】
図６は、機器管理情報２３の一例を示す図である。図示の機器管理情報２３は、各制御対象機器の動作状況を示している。具体的には、照明装置４１、窓開閉機４２、空調装置４０、及びカーテン開閉機４３の動作状態が、それぞれ「ＯＦＦ」、「閉」、「稼動（小）」、及び「開」であることを示している。なお、窓開閉機４２の「閉」は窓が開いた状態を示し、カーテン開閉機４３の「開」はカーテンが開いている状態を示している。また、空調装置４０の「稼動（小）」は空調装置４０が低消費電力で稼動していることを示している。このように、稼動（動作）しているか否かのみならず、どのように稼動しているかを示す情報を含めることによって、稼動状態に応じたより細やかな制御を行うことが可能になる。
【００７１】
〔処理の流れ〕
次に、機器制御装置１が実行する処理の流れを図７に基づいて説明する。図７は、機器制御装置１が実行する処理の一例を示すフローチャートである。
【００７２】
まず、発電量取得部１１は、エネルギー生成機器の発電量を取得し（Ｓ１、発電情報取得ステップ）、取得した発電量を制御特定部１２に通知する。ここでは、エネルギー生成機器が、太陽光発電装置３０と風力発電装置３１の２つであることを想定しているので、これら２つの装置のそれぞれについて発電量を通知する。なお、発電量の通知は、連続的に行ってもよいし、一定期間ごとに行ってもよいし、発電量が変化したときに行ってもよい。
【００７３】
次に、制御特定部１２は、通知された発電量が閾値以上であるか判断する（Ｓ２）。具体的には、制御特定部１２は、記憶部２０の発電量閾値２１を参照して、太陽光発電装置３０と風力発電装置３１のそれぞれについて、発電量が閾値以上であるかの判断を行う。
【００７４】
ここで、制御特定部１２は、発電量が閾値以上であると判断した場合（Ｓ２でＹＥＳ）、発電量が閾値以上のときに実行する制御を特定する（Ｓ３、制御特定ステップ）。一方、発電量が閾値未満であると判断した場合（Ｓ２でＮＯ）、発電量が閾値未満のときに実行する制御を特定する（Ｓ４、制御特定ステップ）。これらの処理の特定は、いずれも制御特定情報２２を参照して、太陽光発電装置３０と風力発電装置３１のそれぞれについて行う。
【００７５】
続いて、制御特定部１２は、特定した制御を実行させる制御対象機器の動作状況を取得する（Ｓ５）。具体的には、制御特定部１２は、Ｓ３またはＳ４で特定した制御を実行させる制御対象機器を特定し、特定した制御対象機器のそれぞれについて、機器管理情報２３を参照して、その動作状況を取得する。
【００７６】
そして、制御特定部１２は、取得した動作状況に基づき、Ｓ３またはＳ４で特定した制御の実行が不要であるか判断する（Ｓ６）。具体的には、制御特定部１２は、まず当該制御がすでに行われているか否かを確認する。例えば、Ｓ３で窓を開ける処理が特定された場合には、機器管理情報２３を参照して窓開閉機４２の動作状態を確認する。ここで、窓開閉機４２がすでに窓を開けていれば制御が不要であると判断し、開けていなければ制御が必要と判断する。
【００７７】
また、制御特定部１２は、取得した動作状況から、家人が不在であると判断されるときには、制御が不要であると判断する。具体的には、機器管理情報２３に含まれる制御対象機器のうち、ユーザが不在のときには動作させない機器が動作していない場合には、家人が不在と考えられるので、制御は不要と判断する。具体的には、空調装置４０及び照明装置４１が共に動作していない場合には、制御は不要と判断する。なお、全ての制御対象機器が動作していないときに、制御不要と判断してもよい。
【００７８】
ここで、制御特定部１２は、何れの制御対象機器についても制御が不要と判断した場合（Ｓ６でＮＯ）、制御を実行させずに処理を終了する。一方、少なくとも１つの制御対象機器について制御が必要と判断した場合（Ｓ６でＹＥＳ）、機器制御部１３に指示して、当該制御対象機器にＳ３またはＳ４で特定した制御を実行させて（Ｓ７、機器制御ステップ）、処理を終了する。
【００７９】
なお、上記の例では、特定した制御の実行が必要であるか否か判断するステップ（Ｓ６）の後、必要と判断された制御を実行しているが、制御の実行要否を判断するステップは省略してもよい。ただし、このステップを実行することにより、家人が不在の場合等に不要な制御を行わずに済むので、このステップは実行することが好ましい。
【００８０】
〔制御の他の例〕
上記の例で示した「カーテンを開ける」、「空調装置４０を動作停止させる」等の制御は一例であり、発電状況に応じた制御はこれらの例に限られない。ここでは、発電状況に応じた他の制御の例について説明する。
【００８１】
ここで、太陽光発電装置３０の発電量は、そのときの光量の影響を受けるため、発電量の多寡は光量の多寡と対応する。つまり、発電量が多いときには光量が多く、屋外が明るいということになる。また、屋外が明るい場合、天気が晴れである可能性が高い。逆に、発電量が少ないときには、屋外が暗く、天気は曇りや雨である可能性が高いと言える。
【００８２】
したがって、太陽光発電装置３０の発電量が多いときには、屋外が明るい場合、あるいは天気が晴れの場合に実行することが好ましい制御を行えばよい。そして、発電量が少ないときには、屋外が暗い場合、あるいは天気が曇りや雨の場合に実行することが好ましい制御を行えばよい。
【００８３】
例えば、太陽光発電装置３０の発電量が多いときには、窓開閉機４２によって窓を開ける制御を行い、室内の換気を行うようにしてもよい。また、発電量が少ないときには、窓開閉機４２によって窓を閉める制御や、照明装置４１をＯＮにする制御を行ってもよい。
【００８４】
さらに、例えば、発電量取得部１１が、発電量の増減の変化を取得する構成とした場合、発電量が増加したときには、照明装置４１の出力を下げる（暗くする）制御を行い、発電量が減少したときには、照明装置４１の出力を上げる（明るくする）制御を行ってもよい。
【００８５】
〔環境情報の参照〕
制御特定部１２は、発電状況情報以外の情報も参照することによって、より適切な制御を特定することができる。ここでは、発電状況情報に加えて、制御対象機器の置かれている環境に関する環境情報を参照して制御を特定する例について説明する。
【００８６】
上記環境情報は、制御対象機器の置かれている環境に関するものであれば特に限定されないが、例えば現在の気温や室温等の温度情報を上記環境情報として取得してもよい。これにより、そのときの温度に応じた適切な制御を行うことが可能になる。これは、同じ「晴れ」でも、温度が高いときと低いときでは、望ましい制御が変わりうるからである。
【００８７】
例えば、温度を「暑い」、「快適」、「寒い」のように複数の段階に分け、制御特定情報２２において、上記の各段階に異なる制御を対応付けておき、取得した温度情報が示す温度が含まれる段階に対応する制御を実行することが考えられる。
【００８８】
具体的には、太陽光発電装置３０の発電量が閾値を超えたときの制御として、以下のような制御を対応付けてもよい。すなわち、「暑い」に対して、窓開閉機４２によって窓を開け、扇風機４４をＯＮにし、空調装置４０をＯＦＦにする制御を対応付ける。また、「快適」に対して、窓開閉機４２によって窓を開け、空調装置４０をＯＦＦにする制御を対応付ける。そして、「寒い」に対して窓開閉機４２によって窓を閉める制御を対応付けてもよい。これにより、寒いときに窓が開けられるというような、ユーザが望まない制御が行われることがなく、温度に応じた適切な制御が実現される。
【００８９】
なお、上記のような温度情報は、例えばインターネットのような通信ネットワークを介して気象庁のウェブサイト等から取得してもよいし、地上デジタル放送等の放送波から取得してもよい。また、日付や時刻などからそのときの気温が推測できるので、温度情報の代わりに、現在の日付や時刻、あるいは季節等を示す情報を取得してもよい。さらに、空調装置４０のように、室温の計測機能を有している制御対象機器が存在する場合には、このような機器から室温を取得してもよい。これにより、温度計などを新たに設けることなく、室温に応じた制御を行うことができる。
【００９０】
なお、このような情報を環境情報として取得する場合においても、上記の温度情報を用いる例と同様に、制御特定情報２２に、環境情報に応じた適切な制御を対応付けておけばよい。また、環境情報に応じた制御が行われるように、環境情報に応じた制御特定情報２２を予め用意しておき、環境情報に応じた制御特定情報２２を参照するようにしてもよい。
【００９１】
また、制御特定部１２は、環境情報に基づき、制御特定情報２２から特定される制御の実行可否を判断してもよい。例えば、季節が冬である場合に、窓開閉機４２によって窓を開ける制御を行わないようにしてもよい。さらに、例えば、時刻が深夜や早朝である場合に、照明装置４１をＯＮにする制御を行わないようにしてもよい。この他、例えば花粉の飛散量を示す情報を取得して、一定以上の飛散量の場合には、窓開閉機４２によって窓を開ける制御を行わないようにすることも考えられる。
【００９２】
さらに、制御の実行可否を機器制御装置１のユーザが設定可能に構成してもよい。この場合、制御を実行するようにユーザが設定しているときにのみは、制御特定部１２は、制御特定情報２２で特定される制御を実行する。また、制御を実行する時間帯や期間をユーザが設定できるようにしてもよい。
【００９３】
ここで、窓やカーテンを開けたり閉じたりする制御を行う場合、その窓やカーテンの位置によって、その制御による効果に違いが出ることもある。例えば、晴れた日の午前中に東に面したカーテンを開ける制御を行った場合には、光が室内に差し込んで明るくなると考えられる。これに対し、同じタイミングで西に面したカーテンを開ける制御を行った場合には、東に面したカーテンを開ける制御を行った場合ほどには明るくならないと考えられる。また、例えば、隣接する建物等の遮蔽物に面している窓やカーテンを開けたときには、このような遮蔽物に面していない窓やカーテンを開けたときと比べて、室内に取り込まれる光や風の量が少ないと考えられる。
【００９４】
このため、窓やカーテンを開けたり閉じたりする制御は、その窓やカーテンが面している方角、時刻、遮蔽物の有無、窓の位置関係等に応じて行うことが好ましい。具体的には、室内を明るくするためにカーテンを開ける制御を行う場合、その時刻に日当たりのよい窓のカーテンを開ける制御を行うことが好ましい。また、室内を涼しくするために窓を開ける制御を行う場合、風の通りをよくするために、対向する位置にある窓をそれぞれ開ける制御を行うことが好ましい。さらに、風向きを特定することができる場合には、その風向きのときに風の入りやすい窓を開ける制御を行うことが好ましい。
【００９５】
また、カーテンの開閉制御は、開閉するカーテンの特性に応じて行うことが好ましい。例えば、カーテンの素材が赤外線を反射するものである場合には、このカーテンを閉めることによって、室温を上げないようにすることができる。例えば、太陽光発電装置３０の発電量から、天気が晴れであると考えられる場合に、気温が一定以上高ければ、カーテンを閉める制御を行うようにして、室温の上昇を抑えることも考えられる。また、この制御と共に、照明装置４１をＯＮにして部屋の明るさを保つと共に、空調装置４０を動作させて室温を下げる制御を行うようにしてもよい。
【００９６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９７】
〔制御部１０の構成について〕
最後に、機器制御装置１の各ブロック、特に制御部１０に含まれる発電量取得部１１、制御特定部１２、及び機器制御部１３は、集積回路（ＩＣチップ）上に形成された論理回路によってハードウェア的に実現してもよいし、ＣＰＵ（Central Processing Unit）を用いてソフトウェア的に実現してもよい。
【００９８】
後者の場合、機器制御装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである機器制御装置１の制御プログラムのプログラムコード（実行形式プログラム、中間コードプログラム、ソースプログラム）をコンピュータで読み取り可能に記録した記録媒体を、機器制御装置１に供給し、そのコンピュータ（またはＣＰＵやＭＰＵ）が記録媒体に記録されているプログラムコードを読み出し実行することによっても、達成可能である。
【００９９】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１００】
また、機器制御装置１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０１】
本発明の機器制御装置は、自然エネルギーを利用した発電装置を利用する一般家庭、商業施設、会社等に適用し、これらの施設で使用される機器の動作制御を好適に行うことができる。
【符号の説明】
【０１０２】
１    機器制御装置
１１    発電量取得部（発電情報取得手段）
１２    制御特定部（制御特定手段、判断手段）
１３    機器制御部（機器制御手段）
２２    制御特定情報
２３    機器管理情報（動作状況情報）
３０    太陽光発電装置（発電装置）
３１    風力発電装置（発電装置）
１００  機器制御システム（電力供給システム）
【図１】
0005747578.tif 000002
【図２】
0005747578.tif 000003
【図３】
0005747578.tif 000004
【図４】
0005747578.tif 000005
【図５】
0005747578.tif 000006
【図６】
0005747578.tif 000007
【図７】
0005747578.tif 000008